(57)【特許請求の範囲】
【請求項１】
２床ベッドの間に設置され、左右両側面に各ベッド用として患者用設備を備えるとともに、前面に２床ベッド用の医療用ガス接続口や電源コンセント等の医療用設備を備え、病室のベッド近傍の壁面に設けられる医療用コンソールであって、前記壁面に縦に配置したコンソール本体の前記前面の横方向の中央部を、前記前面の両側部より奥にくぼんだ凹所に形成して処置時の医療用カーテンを前記凹所内の両側に収納可能にするとともに、前記凹所に前記医療用設備を配置した医療用コンソールにおいて、
前記コンソール本体が、前記壁面に対して平行な中央部分を形成する第１の仕切り板と、前記中央部分に隣接する側面部分を形成するものであって底辺相当部、前記底辺相当部の両側に連接されて前記底辺相当部上に山形を形成する第１の側辺相当部および第２の側辺相当部からなる断面略三角形をなし、前記第１の側辺相当部および前記第２の側辺相当部を相互に連結する頂部が室内側に向きかつ前記底辺相当部が前記壁面に固定される一対の第２の仕切り板とを有し、前記第１の仕切り板の両側が、前記一対の第２の仕切り板の前記第１の側辺相当部における前記頂部から前記カーテンの端を収納できる距離を隔てた前記底辺相当部寄りの位置に連接され、前記第１の仕切り板に前記医療用設備を設け、前記第２の側辺相当部に前記患者用設備を設けた医療用コンソール。
【請求項２】
前記コンソール本体の前記前面の両側部の少なくとも下部に、保護部材を設けた請求項１記載の医療用コンソール。
【請求項３】
前記コンソール本体の前記前面に、この前面から前方へ突出して保持される棚部を設けた請求項１記載の医療用コンソール。
【請求項４】
前記第２の側辺相当部を前記壁面に対して鋭角をなすように形成した請求項１記載の医療用コンソール。
【請求項５】
前記患者用設備として小物入れを備えた請求項１または請求項４記載の医療用コンソール。
【発明の詳細な説明】
【０００１】
【発明の属する技術分野】
この発明は、医療用コンソールに関するものである。
【０００２】
【従来の技術】
従来より医療用縦形コンソールは存在するが、それ以外の機能を持ち合わせていない。すなわち、従来の医療用コンソールは、医療用ガス接続口や電源コンセント等の医療用設備を備え、病室のベッド近傍の壁面に設けられている。
【０００３】
一般に医療用コンソールで付いているコンセント等は医療用で、患者個人が使用できるコンセントや収納部は用意されていない。また、縦形形状の場合でも使用する面が患者ベッドから使いやすい方向に向いていないこともある。
【０００４】
そのため、患者の近くに患者用の電源コンセント等の設備を配置し、縦形コンソールのベッド側側面に角度を付けることで、使用する側面を患者側に向け、利便性を向上させたものが提案されている（特開２０００−１４７２２）。
【０００５】
【発明が解決しようとする課題】
しかしながら、従来の医療用コンソールにおいては、患者のプライバシー保護ができる機能はなかった。すなわち、患者のプライバシーを保護するための処置用カーテンを収めるような機能は医療用コンソールには具備されていない。このため、壁面に対して処置用カーテンが配置された場合には、処置用カーテンを閉めた際に、壁面と隙間が開いてしまい、患者のプライバシーが確保され難い問題がある。
【０００６】
したがって、この発明の目的は、処置時の医療用カーテンを閉めた際に隙間が開くことがなく、患者プライバシー保護ができる医療用コンソールを提供することである。
【０００７】
【課題を解決するための手段】
上記目的を達成するためにこの発明の請求項１記載の医療用コンソールは、２床ベッドの間に設置され、左右両側面に各ベッド用として患者用設備を備えるとともに、前面に２床ベッド用の医療用ガス接続口や電源コンセント等の医療用設備を備え、病室のベッド近傍の壁面に設けられる医療用コンソールであって、前記壁面に縦に配置したコンソール本体の前記前面の横方向の中央部を、前記前面の両側部より奥にくぼんだ凹所に形成して処置時の医療用カーテンを前記凹所内の両側に収納可能にするとともに、前記凹所に前記医療用設備を配置した医療用コンソールにおいて、
前記コンソール本体が、前記壁面に対して平行な中央部分を形成する第１の仕切り板と、前記中央部分に隣接する側面部分を形成するものであって底辺相当部、前記底辺相当部の両側に連接されて前記底辺相当部上に山形を形成する第１の側辺相当部および第２の側辺相当部からなる断面略三角形をなし、前記第１の側辺相当部および前記第２の側辺相当部を相互に連結する頂部が室内側に向きかつ前記底辺相当部が前記壁面に固定される一対の第２の仕切り板とを有し、前記第１の仕切り板の両側が、前記一対の第２の仕切り板の前記第１の側辺相当部における前記頂部から前記カーテンの端を収納できる距離を隔てた前記底辺相当部寄りの位置に連接され、前記第１の仕切り板に前記医療用設備を設け、前記第２の側辺相当部に前記患者用設備を設けたものである。
【０００８】
このように、壁面に縦に配置したコンソール本体の前面中央部を、両側端部より奥にくぼんだ凹所に形成して処置時の医療用カーテンを収納可能にするとともに、凹所に医療用設備を配置したので、処置時の医療用カーテンを閉めた際に凹所に医療用カーテンを収めることができる。このため、隣接する患者からの視線を遮断し処置を受けることができ、患者のプライバシーを保護することができる。また、医療用設備は凹所により保護されるため、外部から直接衝撃を受けることを防止できる。
２床ベッドの間に設置され、左右両側面にそれぞれ対応するベッド用として患者用設備を備えるとともに、前面に２床ベッド用の医療用設備を備えたので、従来１床ベッド１台であった医療用コンソールを２床ベッドで１台として使用することができる。
【０００９】
請求項２記載の医療用コンソールは、請求項１記載の医療用コンソールにおいて、コンソール本体の前面の両側部の少なくとも下部に、保護部材を設けた。このように、コンソール本体の前面の前方へ突出した両側部の少なくとも下部に、保護部材を設けたので、医療用ワゴンなどが縦形コンソールに当たった際、直接本体に当たるのを防ぎ、衝撃の吸収、傷、変形からの保護をすることができる。
【００１０】
請求項３記載の医療用コンソールは、請求項１記載の医療用コンソールにおいて、コンソール本体の前面に、この前面から前方へ突出して保持される棚部を設けた。このように、コンソール本体の前面に、この前面から前方へ突出して保持される棚部を設けたので、軽微な医療作業を行う際にガーゼやはさみなどの軽量の物を載せることができる。また、棚部は処置時にのみ使用でき、通常はコンソール本体の前面から突出していないのでじゃまにならない。
【００１２】
請求項４記載の医療用コンソールは、請求項１記載の医療用コンソールにおいて、前記第２の側辺相当部を前記壁面に対して鋭角をなすように形成したものである。
このように、少なくともベッド側の側面を、壁面への取付面に対して鋭角をなすように形成し、この側面に患者用設備を設けたので、ベッドの患者から側面にある患者用の電源コンセント等の患者用設備を容易に使用することができる。また、通常は患者用設備が無いため患者向けとして提供することで利便性が向上する。
【００１３】
請求項５記載の医療用コンソールは、請求項１または請求項４記載の医療用コンソールにおいて、患者用設備として小物入れを備えた。このように、患者用設備として小物入れを備えたので、患者がベッド周りに小物を置くことができる。
【００１４】
【発明の実施の形態】
この発明の実施の形態を図１ないし図７に基づいて説明する。図１はこの発明の第１の実施の形態の医療用コンソールの正面図、図２はその平面図、図３は図２のＡ方向矢視図、図４は図１の拡大断面図である。
【００１５】
図２に示すように、この医療用コンソール１は、医療用ガス接続口や電源コンセント等の医療用設備を備え、病室のベッド４近傍の壁面３に設置される。この場合、２床ベッド４，４の間に設置され、左右両側面にそれぞれ対応するベッド用として患者用設備を備えるとともに、前面に２床ベッド用の医療用設備を備えている。５は処置時の医療用カーテンである。この医療用カーテン５は、コンソール１の前方位置で進退するように配置される。
【００１６】
また、図１〜３に示すように、壁面３に縦に配置したコンソール本体２の前面中央部を、両側端部より奥にくぼんだ凹所６に形成して医療用カーテン５を収納可能にするとともに、凹所６に医療用設備を配置している。このくぼんだ凹所６に医療用カーテン５を収めることで、患者プライバシー保護ができる。また、少なくともベッド４側の側面を、壁面３への取付面に対して鋭角をなすように形成し、この側面に患者用の電源コンセント等の患者用設備を設けている。
【００１７】
この場合、図４に示すように、コンソール１が前面の医療用設備を設ける医療用スペース１ａと両側面の患者用設備を設ける患者用スペース１ｂに分割され、医療用ガス接続口（酸素、吸引）９、電源コンセント１０、小物入れ１１、作業用棚部１２等をコンソール本体２に設けている。医療用ガス接続口９は両スペース１ａ，１ｂに設けているが、医療用スペース１ａだけに設けてもよい。図４において、左側は電源コンセント１０の位置の断面、右側は棚部１２の位置の断面を示す。
【００１８】
コンソール本体２は、中央部分の仕切り板１３と側面部分の仕切り板１４，１４とからなる。側面部分の仕切り板１４は断面略三角形であり、その一面を壁面３に当接させてボルト２３で固定する。また、側面部分の仕切り板１４の対向する他の一面と中央部分の仕切り板１３とで遮断されて器具奥側（壁面側）に空調用通気口となるダクトスペース１５が形成される。中央部分の仕切り板１３は側面部分の仕切り板１４の室内側の頂部より奥側に配置することで、医療用カーテン５の飲み込み用凹所６が形成される。
【００１９】
また、コンソール本体２の前方へ突出した前面側端部の少なくとも下部に、保護部材１６を設けている。具体的には、側面部分の仕切り板１４の室内側の頂部には木製の保護部材１６が設けられる。保護部材１６は、図３および図５に示すように、上部途中まで延設され、コンソール分割位置Ｂで２分割される。また、分割された連結部に目地を有し、一体型で現地取り付けとする。なお、保護部材１６の形状はＲ型（断面円弧形）に限らず、多角形でも可能であり、材質についても木製以外でも樹脂などの衝撃を吸収できる材質なら使用可能である。
【００２０】
図６（ａ）はこの発明の実施の形態のコンソールの棚部の正面図、（ｂ）はその断面図である。図６に示すように、コンソール本体２の前面に、この前面から前方へ突出して保持され処置時に使用できる棚部１２を設けている。棚部１２は木製で耐荷重１ｋｇまでの強度を有し、コンソール本体２の中央部分の仕切り板１３に回動固定自在に設けられる。すなわち、ロック機構付き固定アーム１７を有し、棚部１２を９０度でロックし固定する。収納時は一度持ち上げてロック解除し、仕切り板１３の奥側に形成された凹部１８に収納する。
【００２１】
図７（ａ）はこの発明の実施の形態のコンソールの小物入れの正面図、（ｂ）はその断面図である。図７に示すように、コンソール本体２の側面に患者用設備として小物入れ１１を備えている。小物入れ１１はワイヤレス発信機等を入れることができるように凹形形状に形成され、コンソール本体２の側面部分の仕切り板１４の室内側に臨む傾斜面に設けられる。
【００２２】
また、図１および図３に示すように、コンソール本体２の上端部を天井に設けた空調リターンダクト７に接続するとともに、下部に空調リターン吸込口８を設け、コンソール本体２内部を通して空調リターンエアを屋外に排出可能とした。この場合、コンソール１の上部を天井面２２に密着し、コンソール本体２を床面２０から離れた構造とし、コンソール１下部に空調用開口を開け空調リターン吸込口８とする。空調リターン吸込口８はフィルタを有し、コンソール本体２下端部に床面に臨む側に設ける。
【００２３】
なお、コンソール本体を床面に設置し、空調リターン吸込口をコンソール本体の下部前面に設ける構成にしてもよい。コンソール本体の断面形状については、四角形の柱状等でも可能である。
【００２４】
以上のようにこの実施の形態によれば、凹所６に処置時の医療用カーテン５を収めることができる。このため、隣接する患者からの視線を遮断し処置を受けることができ、患者のプライバシーを保護することができる。また、医療用設備は凹所６により保護されるため、外部から直接衝撃を受けることを防止できる。
【００２５】
また、保護部材１６を設けたので、医療用ワゴンなどが縦形コンソールに当たった際、直接本体２に当たるの防ぎ、衝撃の吸収、傷、変形からの保護をすることができる。また、棚部１２を設けたので、軽微な医療作業を行う際にガーゼやはさみなどの軽量の物を載せることができる。また、棚部１２は処置時にのみ使用でき、通常はコンソール本体２の前面から突出していないのでじゃまにならない。
【００２６】
コンソール１は２床ベッド４，４の間に設置されるので、従来１床ベッド１台であった医療用コンソールを２床ベッドで１台として使用することができる。また、ベッド４の患者から側面にある患者用の電源コンセント等の患者用設備を容易に使用することができる。通常は患者用電源コンセントが無いため患者向けとして提供することで利便性が向上する。また、患者用設備として小物入れ１１を備えたので、患者がベッド周りに小物を置くことができる。
【００２７】
【発明の効果】
この発明の請求項１記載の医療用コンソールによれば、壁面に縦に配置したコンソール本体の前面中央部を、両側端部より奥にくぼんだ凹所に形成して処置時の医療用カーテンを収納可能にするとともに、凹所に医療用設備を配置したので、凹所に処置時の医療用カーテンを収めることができる。このため、隣接する患者からの視線を遮断し処置を受けることができ、患者のプライバシーを保護することができる。また、医療用設備は凹所により保護されるため、外部から直接衝撃を受けることを防止できる。
２床ベッドの間に設置され、左右両側面にそれぞれ対応するベッド用として患者用設備を備えるとともに、前面に２床ベッド用の医療用設備を備えたので、従来１床ベッド１台であった医療用コンソールを２床ベッドで１台として使用することができる。
【００２８】
請求項２では、コンソール本体の前面の前方へ突出した両側部の少なくとも下部に、保護部材を設けたので、医療用ワゴンなどが縦形コンソールに当たった際、直接本体に当たるのを防ぎ、衝撃の吸収、傷、変形からの保護をすることができる。
【００２９】
請求項３では、コンソール本体の前面に、この前面から前方へ突出して保持される棚部を設けたので、軽微な医療作業を行う際にガーゼやはさみなどの軽量の物を載せることができる。また、棚部は処置時にのみ使用でき、通常はコンソール本体の前面から突出していないのでじゃまにならない。
【００３１】
請求項４では、少なくともベッド側の側面を、壁面への取付面に対して鋭角をなすように形成し、この側面に患者用設備を設けたので、ベッドの患者から側面にある患者用の電源コンセント等の患者用設備を容易に使用することができる。また、通常は患者用設備が無いため患者向けとして提供することで利便性が向上する。
【００３２】
請求項５では、患者用設備として小物入れを備えたので、患者がベッド周りに小物を置くことができる。
【図面の簡単な説明】
【図１】この発明の実施の形態の医療用コンソールの正面図である。
【図２】図１の平面図である。
【図３】図２のＡ方向矢視図である。
【図４】図１の拡大断面図である。
【図５】保護部材の側面図である。
【図６】（ａ）はこの発明の実施の形態のコンソールの棚部の正面図、（ｂ）はその断面図である。
【図７】（ａ）はこの発明の実施の形態のコンソールの小物入れの正面図、（ｂ）はその断面図である。
【符号の説明】
１  医療用コンソール
２  コンソール本体
３  壁面
４  ベッド
６  凹所
９  医療用ガス接続口
１０  電源コンセント
１１  小物入れ
１２  棚部
【図１】
0004462796.tif 000002
【図２】
0004462796.tif 000003
【図３】
0004462796.tif 000004
【図４】
0004462796.tif 000005
【図５】
0004462796.tif 000006
【図６】
0004462796.tif 000007
【図７】
0004462796.tif 000008